(57)【要約】【課題】複数の枠体を連結する場合に連結強度及び水密性を十分に確保できると共に意匠性も良好な樹脂サッシを提供する。【解決手段】連結される枠体１間には金属製の連結部材３０が配置され、連結部材３０は両側面に係止部３３を備え、枠体１の連結面にはそれぞれ補助連結部材４０が固着され、補助連結部材４０は連結部材３０の係止部３３に係止される掛止部４２を備え、枠体１は連結部材３０及び補助連結部材４０の室内端部よりも室内側に延出されるアングル部１６を備え、連結される枠体１間で対向するアングル部１６間には合成樹脂からなる室内カバー部材５０が設けられて連結部材３０及び補助連結部材４０を室内側に露出させないようにした。【選択図】図３
2011174250.tif 000002
【特許請求の範囲】
【請求項１】
合成樹脂からなる枠体に、合成樹脂からなる框体にパネル体を納めた障子を納め、前記枠体を２つ以上連結してなる樹脂サッシにおいて、
連結される前記枠体間には金属製の連結部材が配置され、該連結部材は両側面に係止部を備え、前記枠体の連結面にはそれぞれ補助連結部材が固着され、該補助連結部材は前記連結部材の係止部に係止される掛止部を備え、
前記枠体は前記連結部材及び補助連結部材の室内端部よりも室内側に延出されるアングル部を備え、連結される枠体間で対向する前記アングル部間には合成樹脂からなる室内カバー部材が設けられて前記連結部材及び補助連結部材を室内側に露出させないようにしたことを特徴とする樹脂サッシ。
【請求項２】
前記連結部材の室外端部にはカバー取付部が形成され、該カバー取付部には合成樹脂からなる室外カバー部材が設けられて前記連結部材及び補助連結部材を室外側に露出させないようにしたことを特徴とする請求項１記載の樹脂サッシ。
【請求項３】
前記連結部材の係止部と前記補助連結部材の掛止部の間に止水材が設けられ、前記掛止部が前記係止部に係止されることで、前記止水材により前記連結部材と補助連結部材との間を止水することを特徴とする請求項１または２記載の樹脂サッシ。
【請求項４】
前記補助連結部材の掛止部は前記止水材を保持する断面略Ｌ字状とされて前記枠体の連結面との間に凹状の保持部を形成し、前記連結部材の係止部は前記保持部の止水材に圧接されることで止水をなすことを特徴とする請求項３記載の樹脂サッシ。
【請求項５】
前記補助連結部材は室内端部に前記枠体の連結面に係止される係合固定部を備えると共に、該係合固定部より室外側に前記枠体の連結面に対してネジ止め固定されるネジ固定部を備えることを特徴とする請求項３または４記載の樹脂サッシ。
【請求項６】
前記補助連結部材は前記ネジ固定部より室外側に前記掛止部を備え、前記ネジ固定部と前記枠体の連結面との間にはシール材が設けられることを特徴とする請求項５記載の樹脂サッシ。
【発明の詳細な説明】
【技術分野】
【０００１】
本発明は、建物開口部に取付けられる枠体を合成樹脂で構成した樹脂サッシに関し、特に隣接する２つ以上の枠体を連結した樹脂サッシに関する。
【背景技術】
【０００２】
従来、建物開口部に設けるサッシとして、枠体及び障子の框体を合成樹脂材で構成した樹脂サッシが知られている。樹脂サッシを構成する枠体は、上下枠と左右の縦枠を方形状に枠組みしてなるものであり、これら上下枠と縦枠は、両端部が４５°の角度で傾斜状に切断されると共に、コーナー部分で互いに突き合わされ、溶着によって接合される。また、樹脂サッシに用いられる障子の框体は、上下框と縦框及び召合わせ框を方形状の框組みして構成され、上下框と縦框及び召合わせ框は、両端部が４５°の角度で傾斜状に切断されると共に、コーナー部分で互いに突き合わされ、溶着によって接合される。
【０００３】
また、枠体を左右方向あるいは上下方向に並設配置し、これらを連結してなるサッシも知られている。このように２つ以上の枠体を連結したサッシとしては、枠体の連結面を直接連結するものの他、枠体の連結面間に方立あるいは無目のような連結部材を設け、この連結部材に対して連結する各枠体を固定するものがある。連結部材を介して枠体を連結したサッシとしては、例えば特許文献１に挙げるようなものがある。
【先行技術文献】
【特許文献】
【０００４】
【特許文献１】特開平８−１２１０２２号公報
【発明の概要】
【発明が解決しようとする課題】
【０００５】
従来の枠体を連結したサッシは、枠体の金属部分と金属材からなる連結部材を連結してなるため、十分な連結強度を確保できると共に、水密性も確保することができる。しかし、枠体が合成樹脂からなる樹脂サッシにおいては、連結強度や連結部材との水密性において難点があり、これらを十分に確保することが困難であった。また、連結部材の室内側には、従来のサッシにおいても合成樹脂製のカバーを設けることがあったが、連結部材の室外側はそのまま露出していたため、樹脂サッシにこれをそのまま適用すると、意匠性を損ねるという問題もあった。
【０００６】
本発明は前記課題を鑑みてなされたものであり、複数の枠体を連結する場合に連結強度及び水密性を十分に確保できると共に意匠性も良好な樹脂サッシを提供することを目的とする。
【課題を解決するための手段】
【０００７】
前記課題を解決するため、本発明に係る樹脂サッシは、合成樹脂からなる枠体に、合成樹脂からなる框体にパネル体を納めた障子を納め、前記枠体を２つ以上連結してなる樹脂サッシにおいて、
連結される前記枠体間には金属製の連結部材が配置され、該連結部材は両側面に係止部を備え、前記枠体の連結面にはそれぞれ補助連結部材が固着され、該補助連結部材は前記連結部材の係止部に係止される掛止部を備え、
前記枠体は前記連結部材及び補助連結部材の室内端部よりも室内側に延出されるアングル部を備え、連結される枠体間で対向する前記アングル部間には合成樹脂からなる室内カバー部材が設けられて前記連結部材及び補助連結部材を室内側に露出させないようにしたことを特徴として構成されている。
【０００８】
また、本発明に係る樹脂サッシは、前記連結部材の室外端部にはカバー取付部が形成され、該カバー取付部には合成樹脂からなる室外カバー部材が設けられて前記連結部材及び補助連結部材を室外側に露出させないようにしたことを特徴として構成されている。
【０００９】
さらに、本発明に係る樹脂サッシは、前記連結部材の係止部と前記補助連結部材の掛止部の間に止水材が設けられ、前記掛止部が前記係止部に係止されることで、前記止水材により前記連結部材と補助連結部材との間を止水することを特徴として構成されている。
【００１０】
さらにまた、本発明に係る樹脂サッシは、前記補助連結部材の掛止部は前記止水材を保持する断面略Ｌ字状とされて前記枠体の連結面との間に凹状の保持部を形成し、前記連結部材の係止部は前記保持部の止水材に圧接されることで止水をなすことを特徴として構成されている。
【００１１】
そして、本発明に係る樹脂サッシは、前記補助連結部材は室内端部に前記枠体の連結面に係止される係合固定部を備えると共に、該係合固定部より室外側に前記枠体の連結面に対してネジ止め固定されるネジ固定部を備えることを特徴として構成されている。
【００１２】
また、本発明に係る樹脂サッシは、前記補助連結部材は前記ネジ固定部より室外側に前記掛止部を備え、前記ネジ固定部と前記枠体の連結面との間にはシール材が設けられることを特徴として構成されている。
【発明の効果】
【００１３】
本発明に係る樹脂サッシによれば、連結される枠体間には金属製の連結部材が配置され、連結部材は両側面に係止部を備え、枠体の連結面にはそれぞれ補助連結部材が固着され、補助連結部材は連結部材の係止部に係止される掛止部を備え、枠体は連結部材及び補助連結部材の室内端部よりも室内側に延出されるアングル部を備え、連結される枠体間で対向するアングル部間には合成樹脂からなる室内カバー部材が設けられて連結部材及び補助連結部材を室内側に露出させないようにしたことにより、枠体の連結において金属材同士を固着するので、水密性の確保を容易とすることができ、連結強度も大きくすることができると共に、室内カバー部材を設けることで金属材を隠し、室内側の意匠性も良好にすることができる。
【００１４】
また、本発明に係る樹脂サッシによれば、連結部材の室外端部にはカバー取付部が形成され、カバー取付部には合成樹脂からなる室外カバー部材が設けられて連結部材及び補助連結部材を室外側に露出させないようにしたことにより、全体が樹脂材からなる樹脂サッシにおいて室外側にも金属材が露出しないようにして、意匠性をさらに良好にすることができる。
【００１５】
さらに、本発明に係る樹脂サッシによれば、連結部材の係止部と補助連結部材の掛止部の間に止水材が設けられ、掛止部が係止部に係止されることで、止水材により連結部材と補助連結部材との間を止水することにより、連結部材と補助連結部材の固着に伴って容易かつ確実な止水をなすことができる。
【００１６】
さらにまた、本発明に係る樹脂サッシによれば、補助連結部材の掛止部は止水材を保持する断面略Ｌ字状とされて枠体の連結面との間に凹状の保持部を形成し、連結部材の係止部は保持部の止水材に圧接されることで止水をなすことにより、連結部材と補助連結部材の間及び補助連結部材と枠体の間の各水密性を同時に確保することができる。
【００１７】
そして、本発明に係る樹脂サッシによれば、補助連結部材は室内端部に枠体の連結面に係止される係合固定部を備えると共に、係合固定部より室外側に枠体の連結面に対してネジ止め固定されるネジ固定部を備えることにより、係合及びネジ止めにより、補助連結部材を枠体に対して強固に固定することができる。
【００１８】
また、本発明に係る樹脂サッシによれば、補助連結部材はネジ固定部より室外側に前記掛止部を備え、ネジ固定部と枠体の連結面との間にはシール材が設けられることにより、ネジ固定に伴い補助連結部材と枠体の間の水密性をさらに向上させることができる。
【図面の簡単な説明】
【００１９】
【図１】第１の実施形態における樹脂サッシの正面図である。
【図２】樹脂サッシの横断面図である。
【図３】図２における枠体の連結部分付近の拡大図である。
【図４】枠体と連結部材を連結する際の分解断面図である。
【図５】第２の実施形態における樹脂サッシの正面図である。
【図６】第２の実施形態における樹脂サッシの縦断面図である。
【図７】図５における枠体の連結部分付近の拡大図である。
【図８】第３の実施形態における樹脂サッシの正面図である。
【図９】第３の実施形態における樹脂サッシの縦断面図である。
【図１０】第４の実施形態における樹脂サッシの正面図である。
【発明を実施するための形態】
【００２０】
本発明の実施形態について図面に沿って詳細に説明する。図１には第１の実施形態における樹脂サッシの正面図を、図２には樹脂サッシの横断面図を、それぞれ示している。なお、図１は室外側から見た正面図である。これら各図に示すように、本実施形態の樹脂サッシは、方形状に枠組みしてなる合成樹脂製の枠体１内に、障子２またはパネル体３を納めたものを、横方向に２つ連結して構成されている。
【００２１】
連結される各窓は、一方が嵌め殺し窓であり、他方が縦辷り出し窓である。縦辷り出し窓に設けられる障子２は、方形状に框組みしてなる合成樹脂製の框体５内にガラス板からなるパネル体３を納めて構成されている。
【００２２】
枠体１は、上枠１０と下枠１１及び左右の縦枠１２、１２が方形状に枠組みされている。これら各枠材は、断面中空状に形成されていて、両端部が傾斜状に切断されており、隣接する枠材同士が突き合わされ接合されることで、枠体１が枠組み構成される。
【００２３】
縦辷り出し窓に設けられる障子２を構成する框体５は、上框２０と下框２１及び左右の縦框２２、２２が方形状に框組みされている。これら各框材も、断面中空状に形成されていて、両端部が傾斜状に切断されており、隣接する框材同士が突き合わされ接合されることで、框体５が框組み構成される。また、縦框２２には、障子２を開閉させるためのハンドル６が設けられる。
【００２４】
嵌め殺し窓を構成する枠体１は、室内側面が見付方向内側に突出したパネル体保持部１３を四周に渡って備え、パネル体３の室内側面をタイト材１４を介して保持する。パネル体３の室外側面は、枠体１に四周に渡って取付けられる押縁部材１５によって保持される。すなわち、パネル体３は周縁部を四周に渡って枠体１のパネル体保持部１３と押縁部材１５によって挟持される。
【００２５】
枠体１の室内端部には、室内側に向かって伸びる板状のアングル部１６が四周に渡って形成されている。また、室外端部から室外側に張り出す室外張出部１７が四周に渡って形成されている。室外張出部１７は、断面中空状に形成されており、外周面は枠材のそれ以外の部分の外周面と面一状とされる。
【００２６】
図３には、図２における枠体１の連結部分付近の拡大図を示している。対向する２つの枠体１は、連結部材３０によって連結される。枠体１を構成する縦枠１２のうち、連結される２つの縦枠１２は、連結面１８となる外周面が互いに対向するように配置され、それぞれの連結面１８に補助連結部材４０が固定される。この補助連結部材４０が連結部材３０と係合することによって、枠体１同士が連結される。
【００２７】
連結部材３０は、金属材によって形成されており、断面中空状の本体部３１を備えている。本体部３１の室外面からは室外側に向かって伸びる室外突出部３２が形成されている。室外突出部３２の先端部分は２方向に枝分かれするように形成されており、それぞれには室内側に向かう係止部３３と室外側に向かうカバー取付部３４が形成される。
【００２８】
連結部材３０の本体部３１は、両側の側面にそれぞれ凹部３１ａを備え、さらにその室内側には室内側突出片３５がそれぞれ形成されている。そして、本体部３１の室内面は、室内側に向かって面し、各枠体１のアングル部１６の間に配置される。
【００２９】
連結部材３０の室内側には、樹脂材からなる室内カバー部材５０が取付けられる。室内カバー部材５０は、連結部材３０の室内面とその近傍両側面を保持するように被覆する連結部材保持部５０ａと、室内側に露出する室内面部５０ｂとを有している。室内カバー部材５０の室内面部５０ｂは、連結される枠体１のアングル部１６間に渡る平面状に形成されており、両者間の室内面を連続的に構成する。
【００３０】
連結部材３０の室外側には、樹脂材からなる室外カバー部材５１が取付けられる。室外カバー部材５１は、連結部材３０のカバー取付部３４に対して係合固定される固定部５１ａと、室外側に露出する室外面部５１ｂとを有している。室外カバー部材５１の室外面部５１ｂは、連結される枠体１の室外張出部１７間に渡る平面状に形成されており、両者間の室外面を略連続的に構成する。
【００３１】
両枠体１に取付けられる補助連結部材４０は、連結面１８に略沿う形状を有しており、金属材により形成されている。枠体１の連結面１８は、室外側端部から室内側まで、概ね面一状となっているが、アングル部１６の室外側部分は室内側凹部１８ａとして凹状に形成されている。
【００３２】
補助連結部材４０は、連結面１８の平面部分に当接する当接部４１を備え、当接部４１の室外側端部は略Ｌ字状に形成されて保持部４３を構成している。保持部４３の先端部分は、連結部材４０の係止部３３に対して係止される掛止部４２とされている。また、補助連結部材４０の室内端部には、枠体１の連結面１８に形成された室内側凹部１８ａに沿う形状を有してこれに係止される係合固定部４４が形成されている。係合固定部４４は、当接部４１から屈曲する部分が、連結部材３０の本体部３１に形成された室内側突出片３５に対して係止され、掛止部４２による係止と合わせて補助連結部材４０を連結部材３０に対して固着させる。
【００３３】
補助連結部材４０の当接部４１は、保持部４３に隣接する室外側部分において、連結面１８との間に隙間を生じるように形成されており、この隙間にはシール材４７が設けられる。このシール材４７により、補助連結部材４０と枠体１の間の水密性確保が図られる。また、係合固定部４４よりも室外側にあるこの領域は、連結面１８に対してネジ止め固定をなすネジ固定部４５とされている。このように補助連結部材４０は、室外側寄りでネジ止めにより連結面１８に固定され、室内側寄りで係合固定部４４の係合により連結面１８に固定される。
【００３４】
連結部材３０の本体部３１は、上述のように凹部３１ａを両側に備え、この凹部３１ａの部分において補助連結部材４０の当接部４１は、連結面１８との間に隙間を有して連結部材３０側に寄るように形成されると共に、凹部３１ａに納まるシール材４８を備えている。このシール材４８により、連結部材３０と補助連結部材４０の間の水密性確保が図られる。
【００３５】
補助連結部材４０の保持部４３は、上述のように略Ｌ字状をなすように形成されており、連結面１８との間で凹状の領域を構成する。この領域には止水材４６が設けられて、連結部材３０の係止部３３と補助連結部材４０の掛止部４２とが係止された状態において、連結部材３０の係止部３３の先端部分が止水材４６を押圧する。これにより、連結部材３０と補助連結部材４０の間の水密性が確保される。また、保持部４３と連結面１８の間の領域に止水材４６が設けられていることで、補助連結部材４０と枠体１の間の水密性も確保される。
【００３６】
すなわち、枠体１の連結部分においては、補助連結部材４０の室外端部に配置された止水材４６により、枠体１と補助連結部材４０の間、及び補助連結部材４０と連結部材３０の間の各水密性を確保し、さらにそれより室内側寄りのシール材４７、４８によりそれぞれの水密性をさらに高くするようにしている。
【００３７】
図４には、枠体１と連結部材３０を連結する際の分解断面図を示している。枠体１と連結部材３０を連結するに際しては、まず枠体１の連結面１８に補助連結部材４０を取付け、補助連結部材４０が取付けられた枠体１を連結部材３０に対して取付固定する。図４（ａ）には、枠体１に対して補助連結部材４０を取付ける際の分解断面図を示している。枠体１を構成する縦枠１２には、外周面に建物開口部に対して当接固定するためのフィン部１２ａが形成されているが、連結される縦枠１２については、このフィン部１２ａを予め切り取っておく。
【００３８】
補助連結部材４０には、保持部４３に止水材４６を、また、ネジ固定部４５にシール材４７を、それぞれ設けておく。この状態で、係合固定部４４を枠体１の連結面１８に形成された室内側凹部１８ａに対して係止させ、さらに当接部４１を連結面１８に当接させると共に、ネジ固定部４５で連結面１８に対してネジ止め固定する。
【００３９】
図４（ｂ）には、補助連結部材４０が取付けられた枠体１を連結部材３０に取付ける際の分解断面図を示している。建物開口部には予め連結部材３０が建て付けられ、この連結部材３０に対して補助連結部材４０が取付けられた枠体１が固定される。図４（ｂ）に示すように、補助連結部材４０の掛止部４２を連結部材３０の係止部３３に対して引っ掛ける。この際、連結部材３０の係止部３３の先端部が保持部４３に保持された止水材４６を押圧する。
【００４０】
掛止部４２を係止部３３に引っ掛けたら、補助連結部材４０の当接部４１を連結部材３０の本体部３１の側面に当接させるようにする。それに伴い、補助連結部材４０の係合固定部４４の当接部４１から屈曲する部分が、本体部３１の室内側突出片３５に対して係止される。これにより、補助連結部材４０は連結部材３０の係止部３３と室内側突出片３５によって挟持された形となり、これらの係止によって補助連結部材４０が連結部材３０に対して固着される。
【００４１】
このように、樹脂サッシにおいて、枠体１の連結面１８に金属製の補助連結部材４０を設け、この補助連結部材４０と金属製の連結部材３０を固着することによって枠体１を連結部材３０と連結するようにしたことで、金属材同士の連結となるので、水密性を確保しやすく、連結強度も大きくすることができる。また、連結部材３０と補助連結部材４０がいずれも室内外に露出しないように、室内カバー部材５０と室外カバー部材５１が設けられるので、全体が樹脂材からなる樹脂サッシが、連結部分においても室内外とも樹脂材で連続させることができ、意匠性を良好にすることができる。
【００４２】
次に、本発明の第２の実施形態について説明する。第１の実施形態では、連結部材３０と補助連結部材４０を、２つの枠体１を横方向に連結する方立として用いたが、同じ構造で２つの枠体１を縦方向に連結する無目としても用いることができる。図５には第２の実施形態における樹脂サッシの正面図を、図６には第２の実施形態における樹脂サッシの縦断面図を、それぞれ示している。第２の実施形態では、枠体１を縦方向に２つ連結する。下側には辷り出し窓が配置され、上側には嵌め殺し窓が配置される。その他の構成は第１の実施形態と同様である。
【００４３】
すなわち、各枠体１は、それぞれ上枠１０と下枠１１及び左右の縦枠１２、１２が方形状に枠組みされてなり、辷り出し窓に設けられる障子２は、上框２０と下框２１及び左右の縦框２２、２２を方形状に框組みしてなる框体５内にガラス板からなるパネル体３を納めて構成され、また嵌め殺し窓においては押縁部材１５を用いてパネル体３が挟持固定される。
【００４４】
上下の枠体１の連結構造は、第１の実施形態の連結構造と概ね同様である。図７には、図５における枠体１の連結部分付近の拡大図を示している。本実施形態においては下側の枠体１の上枠１０外周面と上側の枠体１の下枠１１外周面が、それぞれ連結面１８となる。枠体１の連結面１８には補助連結部材４０が設けられ、これと横方向に配設された連結部材３０とを固着し両者を連結する。連結部材３０と補助連結部材４０の構成は、配置方向が縦方向か横方向かの違いを除けば、第１の実施形態と同様である。
【００４５】
すなわち、連結部材３０は本体部３１と室外突出部３２を備え、本体部３１は凹部３１ａと室内側突出片３５を有し、室外突出部３２には係止部３３とカバー取付部３４が形成され、補助連結部材４０は当接部４１と掛止部４２及び係合固定部４４を有し、掛止部４２は止水材４６の保持部４３を形成し、補助連結部材４０には掛止部４２の近傍にネジ固定部４５が形成されると共に、ネジ固定部４５と枠体１の連結面１８の間にはシール材４７が設けられ、補助連結部材４０の室内端部の係合固定部４４は連結面１８の室内側に形成された室内側凹部１８ａに対して係合固定され、補助連結部材４０を取付けられた枠体１は、掛止部４２と係合固定部４４がそれぞれ連結部材３０の係止部３３及び室内側突出片３５に対して係止されると共に、保持部４３に保持された止水材４６が連結部材３０の係止部３３先端に押圧される。また、連結部材３０の室内側には連結される両枠体１のアングル部１６間に室内カバー部材５０が取付けられ、連結部材３０の室外側にはカバー取付部３４に対して室外カバー部材５１が取付けられる。
【００４６】
このように、枠体１の上下方向の連結においても、左右方向の連結と概ね同様の構造を用いることができ、部品を共用化することができるので、コストダウンを図ることができる。
【００４７】
次に、本発明の第３の実施形態について説明する。図８には第３の実施形態における樹脂サッシの正面図を、図９には第３の実施形態における樹脂サッシの縦断面図を、それぞれ示している。第３の実施形態では、第２の実施形態と同様に枠体１を縦方向に２つ連結するが、下側に配置されるのはドアであり、上側には嵌め殺し窓が配置される。その他の構成は第２の実施形態と同様である。
【００４８】
ドアの枠体１は、上枠１０と下枠１１及び左右の縦枠１２、１２が方形状に枠組みされて構成される。枠体１内には、ドア体４が開閉自在となるように納められる。ドア体４は、上框２０と下框２１及び左右の縦框２２、２２を方形状に框組みしてなる框体５内にガラス板からなるパネル体３を納めて構成され、回動自在な開閉装置２３を介して枠体１に支持されている。
【００４９】
本実施形態において、上側の嵌め殺し窓の構成は、第２の実施形態と同様である。また、上下の枠体１の連結構造も、第１の実施形態及び第２の実施形態と概ね同様であり、連結部材３０と補助連結部材４０によって両者が連結されると共に、室内側には室内カバー部材５０が取付けられ、室外側には室外カバー部材５１が取付けられる。
【００５０】
次に、本発明の第４の実施形態について説明する。図１０には第４の実施形態における樹脂サッシの正面図を示している。第１〜第３の実施形態では、枠体１の横方向または縦方向の連結構造に連結部材３０と補助連結部材４０を用いたものを示したが、図１０に示すように、枠体１を横方向と縦方向の両方に連結しており、この場合においても、枠体１の横方向の連結と縦方向の連結のそれぞれに、同じ構造の連結部材３０と補助連結部材４０を用い、また室内側には室内カバー部材５０を取付け、室外側には室外カバー部材５１を取付ける。
【００５１】
本実施形態においては、上部２つが嵌め殺し窓であり、下部２つが辷り出し窓である。まず、嵌め殺し窓と辷り出し窓の各枠体１が、横方向に配置される連結部材３０及び補助連結部材４０により上下方向に連結され、この上下方向に連結された枠体１同士が、縦方向に配置される連結部材３０及び補助連結部材４０により左右方向に連結される。
【００５２】
以上、本発明の実施形態について説明したが、本発明の適用は本実施形態には限られず、その技術的思想の範囲内において様々に適用されうるものである。例えば、本実施形態では辷り出し窓と嵌め殺し窓の連結について説明したが、窓の種類は別のものであってもよい。また、３つ以上の枠体を連結してもよいし、左右または上下のみの連結だけでなく左右及び上下に複数の枠体を連結するものであってもよい。
【符号の説明】
【００５３】
１    枠体
２    障子
３    パネル体
５    框体
１０    上枠
１１    下枠
１２    縦枠
１６    アングル部
１８    連結面
３０    連結部材
３１    本体部
３２    室外突出部
３３    係止部
３４    カバー取付部
３５    室内側突出片
４０    補助連結部材
４１    当接部
４２    掛止部
４３    保持部
４４    係合固定部
４５    ネジ固定部
４６    止水材
５０    室内カバー部材
５１    室外カバー部材
【図１】
2011174250.tif 000003
【図２】
2011174250.tif 000004
【図３】
2011174250.tif 000005
【図４】
2011174250.tif 000006
【図５】
2011174250.tif 000007
【図６】
2011174250.tif 000008
【図７】
2011174250.tif 000009
【図８】
2011174250.tif 000010
【図９】
2011174250.tif 000011
【図１０】
2011174250.tif 000012